(57)【特許請求の範囲】
【請求項１】
マルチコンポーネントキャリア信号であって、各コンポーネントキャリアが該コンポーネントキャリア周辺の所定の帯域幅において信号送信を提供するところのマルチコンポーネントキャリア信号を送信するように構成された無線通信ネットワークにおける、移動体端末（７０１）と基地局との間のデータ送信のスケジューリング方法であって、
前記移動体端末（７０１）において、前記基地局から使用可能なコンポーネントキャリアを示す情報を受信する工程（７０４）と、
前記移動体端末（７０１）において、不連続な帯域幅を有するコンポーネントキャリアを扱う前記移動体端末の現在の能力を示す少なくとも一つの動的パラメータを検出する工程（７０６）と、
前記移動体端末（７０１）において、前記動的パラメータとして検出されたパラメータであって、前記移動体端末からのデータ送信について所定の品質レベルを達成するために必要とされる、前記移動体端末の送信電力レベルを示すパラメータに基づいて、前記データ送信のために前記使用可能なコンポーネントキャリアのどれを使用するかを決定する工程（７０５）と、
前記移動体端末（７０１）から前記基地局へ、前記データ送信のために使用することを決定したコンポーネントキャリアを示す情報を送信する工程（７０２、７０３）と
を備えることを特徴とするデータ送信のスケジューリング方法。
【請求項２】
前記送信電力レベルが所定の閾値を超えたことによりトリガされるコンポーネントキャリアイベント発生を検出する工程と、
前記コンポーネントキャリアイベントが検出された場合に、前記コンポーネントキャリアのどれを使用するかを決定する工程を実行する工程と
をさらに備えることを特徴とする請求項１に記載のデータ送信のスケジューリング方法。
【請求項３】
前記決定したコンポーネントキャリアを示す情報を送信する工程は、無線リソース制御（RRC）シグナリングプロトコルを使用することを特徴とする請求項１又は２に記載のデータ送信のスケジューリング方法。
【請求項４】
前記決定したコンポーネントキャリアを示す情報を送信する工程は、媒体アクセス制御（MAC）シグナリングプロトコルを使用することを特徴とする請求項１又は２に記載のデータ送信のスケジューリング方法。
【請求項５】
マルチコンポーネントキャリア信号であって、各コンポーネントキャリアが該コンポーネントキャリア周辺の所定の帯域幅において信号送信を提供するところのマルチコンポーネントキャリア信号を送信するように構成された無線通信ネットワークにおける、移動体端末（７０１）と基地局との間のデータ送信のスケジューリングを行うように構成された移動体端末（７０１）であって、
前記基地局から使用可能なコンポーネントキャリアを示す情報を受信（７０４）し、
不連続な帯域幅を有するコンポーネントキャリアを扱う前記移動体端末の現在の能力を示す少なくとも一つの動的パラメータを検出（７０６）し、
前記動的パラメータとして検出されたパラメータであって、前記移動体端末からのデータ送信について所定の品質レベルを達成するために必要とされる、前記移動体端末の送信電力レベルを示すパラメータに基づいて、前記データ送信のために前記使用可能なコンポーネントキャリアのどれを使用するかを決定（７０５）し、
前記基地局へ、前記データ送信のために使用することを決定したコンポーネントキャリアを示す情報を送信（７０２、７０３）する
ように構成されたことを特徴とする移動体端末。
【請求項６】
前記送信電力レベルが所定の閾値を超えたことによりトリガされるコンポーネントキャリアイベント発生を検出し、
前記コンポーネントキャリアイベントが検出された場合に、前記コンポーネントキャリアのどれを使用するかを決定する
ようにさらに構成されたことを特徴とする請求項５に記載の移動体端末。
【請求項７】
無線リソース制御（RRC）シグナリングプロトコルを使用して前記決定したコンポーネントキャリアを示す情報を送信するように構成されたことを特徴とする請求項５又は６に記載の移動体端末。
【請求項８】
媒体アクセス制御（MAC）シグナリングプロトコルを使用して前記決定したコンポーネントキャリアを示す情報を送信するように構成されたことを特徴とする請求項５又は６に記載の移動体端末。
【請求項９】
第三世代ロング・ターム・エボリューション（LTE）システムにおいて使用されるように構成されたことを特徴とする請求項５乃至８のいずれか１項に記載の移動体端末。
【請求項１０】
コンピュータ上で実行された場合に、請求項１乃至４のいずれか１項に記載の方法を前記コンピュータに実行させることを特徴とするコンピュータプログラム。
【請求項１１】
コンピュータ上で実行された場合に、請求項１乃至４のいずれか１項に記載の方法を前記コンピュータに実行させるコンピュータプログラムを記憶した、コンピュータで読み取り可能な記憶媒体。
【発明の詳細な説明】
【技術分野】
【０００１】
本発明は、マルチコンポーネントキャリア信号を送信するように構成された無線通信ネットワークにおける、移動体端末と基地局との間のデータ送信のスケジューリングのための方法及び装置に関する。
【背景技術】
【０００２】
各世代において、無線通信システムは更に高まるデータ転送速度によって特徴付けられる。データ転送速度の増加の一部は変調、符号化等の改善に起因するものかもしれないが、大幅なデータレートの増加には、概してより広帯域なシステム帯域幅が必要とされる。例えば、(４Ｇ無線通信システムとして提案されている)IMT (International Mobile Telecommunications）advancedは最大１００ＭＨｚの帯域幅について言及している。しかしながら、無線スペクトルは限りあるリソースであり、多くの事業者とシステムとが限りある無線リソース獲得のために争うので、係るシステムが１００MHzの連続したスペクトルを自由に使用できる可能性は低い。
【０００３】
スペクトルが限定的で断片的であったとしても、増加する帯域要求へのアプローチの一つとして、不連続なスペクトルを統合することができる。ベースバンドの観点から、このアプローチによりシステム帯域幅を、４Ｇのスループット要求である１Ｇｂ／ｓまでサポートするように、十分に効果的に増加させることが可能である。スペクトルの不連続部分におけるデータ送信は、スペクトル利用を、既存のスペクトル使用や地理的位置に対しても適用可能であるので、柔軟性を導入することができる。加えて、異なる変調方式や符号化方式をスペクトルの異なる部位においても有利に適用することができる。
【０００４】
3GPP Long Term Evolution（LTE）のような、現在のセル方式システムの可能性のある展開として、不連続なスペクトルをサポートすることは、マルチコンポーネントキャリアまたは複数帯域を導入するということである。そのような複数帯域システム、または、マルチコンポーネントキャリアシステムにおいて、分離されたスペクトルの各部位はひとつのLTEシステムとしてみなすことができる。複数帯域伝送は、ITU IMT-Advancedのケーパビリティをターゲットとしている3G LTEの今後のリリースの主要部分になる可能性が高い。そのようなシステムで使用する移動体端末は、マルチコンポーネントキャリアを受信し、異なる帯域幅を有し、異なるキャリア周波数で送信が可能であろう。
【０００５】
特許文献１は、複数のアクセス端末の間に無線リソースが分配される複数キャリア通信システムを開示している。あるアクセス端末に割り当てられるキャリアは、アクセス端末から受信したスケジューリング情報に基づいてネットワークによって決定される。スケジューリング情報はデータ要求、サービス品質要求、利用可能な送信電力のヘッドルーム、アクセス端末の位置、又は、アクセス端末に関係するハードウェア制約を含むことができる。この開示は不連続な帯域幅の使用とは関連しない。
【０００６】
複数の不連続なコンポーネントキャリアをサポートする移動体端末の設計は簡単な仕事ではない。フロントエンドの無線はスペクトルの「チャンク(chunks)」間での閉塞信号（ブロッキング信号）を抑圧できることが求められる。この問題に対処するために異なる種類の無線アーキテクチャを用いることができる。しかしながら、これは典型的に、標準的な連続システム受信機に比べて電流消費の面で欠点を持つ。それゆえ、移動体端末のフロントエンド受信機設計への挑戦を考慮に入れた、効率的な不連続な複数キャリアLTEシステム設計の要請がある。
【先行技術文献】
【特許文献】
【０００７】
【特許文献１】米国特許出願公開第２００７/００７０９０号明細書
【発明の概要】
【０００８】
それゆえ、発明の実施形態は、より効率的で、不連続の帯域を有するコンポーネントキャリアを取り扱う移動体端末の現在の性能を考慮した、データ転送スケジューリングの柔軟な方法を提供することを目的とする。
発明の実施形態によれば、マルチコンポーネントキャリア信号を送信するように構成された無線通信ネットワークにおける、移動体端末と基地局との間のデータ送信のスケジューリング方法を使用することで、当該目的は達成される。なお、マルチコンポーネントキャリアにおける各コンポーネントキャリアは、該コンポーネントキャリア周辺の所定の帯域幅において信号送信を提供する。
【０００９】
当該方法は、移動体端末において、基地局から使用可能なコンポーネントキャリアを示す情報を受信する工程、移動体端末において、不連続な帯域幅を有するコンポーネントキャリアを扱う移動体端末の現在の能力を示す少なくとも一つの動的パラメータを検出する工程、移動体端末において少なくとも一つの動的パラメータに基づいて、データ送信のために使用可能なコンポーネントキャリアのどれを使用するかを決定する工程、移動体端末から基地局へ、データ送信のために使用することを決定したコンポーネントキャリアを示す情報を送信する工程を含んでいてもよい。
【００１０】
移動体端末は、移動体端末にて検出された動的パラメータとの関連で、使用するコンポーネントキャリアの数を制御してもよい。こうすることで、移動体端末は、マルチコンポーネントキャリアをサポートするための消費電力が高い場合や、複雑なハードウェアが必要とされる場合といった不利な場合に、使用するコンポーネントキャリア数を制限することを選択できる。
【００１１】
ある実施形態では、上記方法は、少なくとも一つの動的パラメータを、パラメータのグループの中から選択する工程を更に備える。当該パラメータのグループは、移動体端末のバッテリの充電レベルを示すパラメータと、移動体端末からのデータ送信について所定の品質レベルを達成するために必要とされる、移動体端末の送信電力レベルを示すパラメータと、移動体端末のベースバンド処理能力のレベルを示すパラメータとからなる。
【００１２】
移動体端末のバッテリの充電レベルを示すパラメータとの関連で、移動体端末に使用するコンポーネントキャリア数を制御させることで、バッテリ寿命を延ばすことが可能になる。これはバッテリ充電レベルが低い場合にマルチコンポーネントキャリアの使用を制限することで実現され、これによりマルチコンポーネントキャリアをサポートするために必要とされる電力を節約できる。加えてバッテリ電圧が低い場合には、マルチコンポーネントキャリアをサポートする必要がないため、移動体端末の設計をより簡単化できる。
【００１３】
データ送信のための所定の品質レベルを達成するために、パラメータが移動体端末からの送信電力のレベルを示すようにすることで、移動体端末の設計を簡単化することができる。これは、送信電力が高い場合に、移動体端末はマルチコンポーネントキャリアをサポートする必要が無いからである。これは、送信電力が高い場合に、使用するコンポーネントキャリアの数を制限することにより達成できる。
【００１４】
パラメータが移動体端末におけるベースバンド処理能力のレベルを示すようにすることで、移動体端末における処理リソースをより効率的に活用できる。これは移動体端末における処理リソースが少ない場合に、使用するコンポーネントキャリアの数を制限することにより達成される。
【００１５】
ある実施形態では、上記方法はさらに、パラメータのレベルの１つが所定の閾値を超えたことによりトリガされるコンポーネントキャリアイベント発生を検出する工程と、コンポーネントキャリアイベントが検出された場合に、コンポーネントキャリアのどれを使用するかを決定する工程を実行する工程とを備える。
【００１６】
パラメータレベルの一つが所定の閾値を超えたことによりトリガされるイベントとの関連でマルチコンポーネントキャリアの使用を制御することで、上記方法を移動体端末において容易に実装することが可能になる。
【００１７】
ある実施形態では、決定したコンポーネントキャリアを示す情報を送信する工程は、無線リソース制御（RRC）シグナリングプロトコルを使用する。
【００１８】
ある実施形態では、決定したコンポーネントキャリアを示す情報を送信する工程は、媒体アクセス制御（MAC）シグナリングプロトコルを使用する。
【００１９】
本発明の実施形態のいくつかは、マルチコンポーネントキャリア信号を送信するように構成された無線通信ネットワークにおける、移動体端末と基地局との間のデータ送信のスケジューリングを行うように構成された移動体端末に関する。なお、マルチコンポーネントキャリアにおける各コンポーネントキャリアは該コンポーネントキャリア周辺の所定の帯域幅において信号送信を提供する。当該移動体端末は、基地局から使用可能なコンポーネントキャリアを示す情報を受信し、不連続な帯域幅を有するコンポーネントキャリアを扱う移動体端末の現在の能力を示す少なくとも一つの動的パラメータを検出し、少なくとも一つの動的パラメータに基づいて、データ送信のために使用可能なコンポーネントキャリアのどれを使用するかを決定し、基地局へ、データ送信のために使用することを決定したコンポーネントキャリアを示す情報を送信するように構成されている。
【００２０】
上記方法のために上述した実施形態に対応する実施形態は、同様に上記移動体端末に対して適用される。
【００２１】
発明の実施形態のいくつかは、上記方法を実行するためのプログラムコードを有するコンピュータプログラム及びコンピュータで読み取り可能な記憶媒体に関連する。
【００２２】
本発明の実施形態は、図面を参照して以下でより詳細に記述される。
【図面の簡単な説明】
【００２３】
【図１】マルチコンポーネントキャリアを示す周波数プロット図である。
【図２】移動体端末および基地局間でのデータ転送スケジューリング法のフロー図である。
【図３ａ】低出力でマルチコンポーネントキャリアでの送信を行った際のスペクトル漏えいを示す周波数プロット図である。
【図３ｂ】高出力でマルチコンポーネントキャリアでの送信を行った際のスペクトル漏えいを示す周波数プロット図である。
【図４】バッテリ電圧を充電状況の関数として示すプロット図である。
【図５ａ】フィルタリング前の２つのコンポーネントキャリア間に位置する低エネルギー干渉信号振幅を示す周波数プロット図である。
【図５ｂ】フィルタリング後の２つのコンポーネントキャリア間に位置する低エネルギー干渉信号振幅を示す周波数プロット図である。
【図６ａ】フィルタリング前の２つのコンポーネントキャリア間に位置する高エネルギー干渉信号振幅を示す周波数プロット図である。
【図６ｂ】フィルタリング後の２つのコンポーネントキャリア間に位置する高エネルギー干渉信号振幅を示す周波数プロット図である。
【図７】移動体端末の機能ブロック図である。
【発明を実施するための形態】
【００２４】
本明細書で説明する統合スペクトルまたはマルチバンドシステムにおいて、連続または不連続ないくつかの周波数帯が一つの携帯受信機と通信するために割り当てられる。帯域内における変調方式及びアクセス方式はどのようなものであってもよく、例えば、直交周波数分割多重（OFDM）、単一キャリア周波数分割多重（SC-FDMA）、符号分割多元接続（CDMA）などがある。本願では、そのようなシステムを「マルチコンポーネントキャリアシステム」と定義する。この文脈において、１つの帯域のことを１つの「コンポーネントキャリア」という。いくつかの刊行物では、この種のシステムが「マルチキャリア」と呼ばれているが、この用語はOFDMを定義する場合にも一般的に使用される。
【００２５】
図１はより大きな帯域幅を得るためのマルチコンポーネントキャリアの統合例を示す。一番左のコンポーネントキャリアは他のコンポーネントキャリアから周波数的に十分に分離されていることに注意すべきである。キャリア間隔が広いので、キャリア間干渉をごくわずかな量にすることができる。しかしながら、右側の２つのコンポーネントキャリアは周波数的に十分な間隔を確保できていない。
【００２６】
図２は本発明の実施形態のフローチャートを示す。ステップ１００において、移動体端末はまず、当該移動体端末と通信するための基地局を含むマルチコンポーネントキャリアセルを検出する。これはセル検索手順を使用することで達成される。移動体端末は次いでステップ１１０において、マルチコンポーネントキャリアセルにおける利用可能性のあるコンポーネントキャリアに関する情報を受信する。この情報はコンポーネントキャリアの帯域幅およびキャリア周波数に関する情報を含む。利用可能性のあるコンポーネントキャリアの数はいくつであってもよく、単一のコンポーネントキャリアのみが使用可能であるという特別な状況も含む。ステップ１２０において、移動体端末はマルチコンポーネントキャリアセルとの間でデータの送受信に使用する、使用可能なコンポーネントキャリアのサブセットを決定する。そして、マルチコンポーネントキャリアセルへ当該サブセットについて通知する。この選択は移動体端末の物理リソースに基づいてなされる。このサブセットは厳密にサブセットである必要はなく、選択したサブセットがマルチキャリアセルから受信した利用可能性のあるコンポーネントキャリアの全てを含んでいてもよい。次にステップ１３０において、移動体端末はマルチキャリアセルに接続し、ステップ１４０においてコンポーネントキャリアイベントの監視を開始する。そのようなイベントは任意の動的パラメータに関連していてもよく、動的パラメータには、移動体端末の充電状況や、移動体端末の送信電力、移動体端末の処理負荷、干渉信号のエネルギー、或いは、移動体端末のアプリケーションからのデータ転送要求が含まれる。ステップ１５０において、移動体端末はイベントを検出すると使用可能なコンポーネントキャリアの新しいサブセットを選択し、マルチコンポーネントキャリアセルに新しいサブセットについて情報を伝える。
【００２７】
ある実施形態では、マルチコンポーネントキャリアセルは要求されたコンポーネントキャリアのサブセットを拒絶し、代わりに異なるサブセットを提案する機会を与えられてもよい。
【００２８】
マルチキャリアの設定を目的とした移動体端末及びマルチキャリアセル間での通信は、例えばRRC（Radio Resource Control：無線リソース制御）プロトコル、ＭＡＣ（Medium Access Control：媒体アクセス制御）プロトコル、或いは、レイヤ１シグナリングといった詳細に定義されたシグナリングプロトコルを用いて実現される。
【００２９】
図３aは移動体端末から基地局へと低出力で送信を行った際のスペクトル漏えいを示す。送信電力レベルは一般的に、所定の品質レベル要求に基づいて選択される。電力閉ループは一般的に、送信電力を調整するために使用される。当該ループは、基地局で送信品質レベルを監視することにより機能する。もし、品質レベルが所定の閾値を下回ると、基地局から移動体端末へ制御信号が送信され送信電力が増加する。逆に、品質レベルが所定の閾値を超えると、基地局は移動体端末に送信電力を減らすように指示する。２つの分散コンポーネントキャリア３０１、３０２を示す。
【００３０】
送信機及びＲＦ電力増幅器における非線形性は、スペクトル漏えいを招く相互変調雑音をもたらす。これは特に、周波数領域で高電力密度をもつ狭帯域なコンポーネントキャリアを使用する際に、著しい相互変調雑音の影響を引き起こすことから、問題となる。使用しているコンポーネントキャリアの帯域の外側に位置する帯域を他のユーザが使用できるようにするために、移動体端末には厳格なスペクトル漏えいに関する要求が課される。３０３は２つのコンポーネントキャリア３０１、３０２のスペクトル漏えいを示しており、３０４は携帯ネットワークでの漏えい要求を示している。２つのコンポーネントキャリア３０１、３０２からのスペクトル漏えい３０３はキャリアの送信電力が低い場合には漏えい要求３０４を下回っている。
【００３１】
図３bは移動体端末から基地局への送信電力が大きい場合のスペクトル漏えいを示している。２つの分散キャリア３０５、３０６が示されている。これらは図３aにおける２つのコンポーネントキャリア３０１、３０２と同じ周波数に位置しているが、送信電力を増加させているため、それらの振幅はより大きくなっている。２つのキャリアのスペクトル漏えい３０７は、携帯ネットワークにおけるスペクトル漏えい要求を超えている。より線形な送信機およびRF電力増幅器を使用することは、この問題を軽減するための可能性のある方法である。しかしながら、高度に線形な部品は一般的により多くの電力を消費し、移動体端末の複雑性およびコストを増加させる。
【００３２】
本発明の実施形態を利用する場合に、個々のキャリアの送信電力に基づいてコンポーネントキャリアの数を制御できるかもしれない。これを達成する一つの方法は、送信電力が増加したときに、使用するコンポーネントキャリアの数を減少させることである。もしくは、高出力で送信を行う際には、狭帯域のコンポーネントキャリアの使用を制限してもよい。これは、コストのかかるハードウェアを必要とせず、妥当な消費電力で、移動体端末におけるマルチキャリアサポートを可能にする。
【００３３】
図４は移動体端末にて用いられる典型的なバッテリについて、充電状況の関数として電圧をプロットした図である。充電状況は０％から１００％まで変化する。ここでは３つの異なる段階が図示され、そこには、バッテリ電圧が少し落ちている初期化段階４０１、バッテリ電圧がほとんど変化しない安定期段階４０２、及び、バッテリ電圧が０にまで落ちる終末段階４０３が含まれる。移動体端末の機能は、初期化段階４０１及び安定期段階４０２においては電圧の変化によって影響されない。しかしながら、終末段階においては、バッテリは移動体端末の機能をサポートできず、結局のところ移動体端末は強制的に電源を落とされる。移動体端末においてマルチコンポーネントキャリアをサポートするためには、より線形な送信機ブロックおよび、特には、線形な電圧増幅器が必要とされるが、これらは高い消費電力を有する。それゆえ、マルチコンポーネントキャリアをサポートする移動体端末は、終末段階において比較的に早くに機能を停止してしまうだろう。
【００３４】
しかしながら、本発明の実施形態によれば、コンポーネントキャリアの数を、移動体端末のバッテリの充電状況に基づいて制御してもよい。これは、バッテリの充電状況が低いときに使用するコンポーネントキャリア数を減らすことで実現され、それによって、移動体端末における複雑で高価なアーキテクチャを必要とせずに、複数キャリアのサポートおよびバッテリの長寿命化が実現される。
【００３５】
発明の実施形態によれば、使用するコンポーネントキャリアの数は、動的パラメータとして機能する電力管理システムによって制御されてもよい。電力管理システムは、マルチコンポーネントキャリアをサポートする電力消費量の推定によって機能し、推定した電力消費量との関連で使用するキャリアの数を決定してもよい。これは、マルチコンポーネントキャリアをサポートするための電力消費量が大きい場合に、使用するコンポーネントキャリアの数を制限することでなされてもよい。移動体端末におけるバッテリの充電状況は、電力管理システムへの入力として用いられてもよい。電力管理システムを使用することで、バッテリの長寿命化が達成される。
【００３６】
これによって、マルチコンポーネントキャリアをサポートするための電力消費量が比較的少ない状況でのみ、マルチコンポーネントキャリアがサポートされてもよい。
【００３７】
図５aは、移動体端末におけるフィルタリング前の、２つのコンポーネントキャリア５０１、５０２の間に位置する低エネルギー干渉信号５０２の周波数プロット図である。５０４は、干渉信号を遮断するための移動体端末におけるフィルタ性能を示す閾値である。閾値は移動体端末におけるフィルタの品質によって決定される。干渉信号５０２の振幅は、閾値５０４より低い。図５ｂは、図５ａと同じ状況での移動体端末におけるフィルタリング後の周波数プロット図である。干渉信号の強度は無視できるレベルにまで抑えられており、そして２つのコンポーネントキャリア５０１、５０２について良好なサービス品質が達成されている。
【００３８】
図６ａは移動体端末におけるフィルタリング前の、２つのコンポーネントキャリア６０１、６０２の間に位置する高エネルギー干渉信号６０２の周波数プロット図である。６０４は干渉信号を遮断するための移動体端末におけるフィルタ性能を示す閾値である。この状況では、干渉信号の振幅は閾値６０４よりも高い。図６bは、図６aと同じ状況での移動体端末におけるフィルタリング後の周波数プロット図である。干渉信号の強度は低くなっているが、２つの干渉信号６０１、６０２の振幅と比べると比較的高いままであるため、結果としてキャリアのサービス品質は悪くなっている。これは、より高い閾値を持つ高性能フィルタを使用することで正すことができるが、その場合には、全体の消費電力及びデバイスの全体的なコストが再び増加してしまう。
【００３９】
本発明の実施形態を用いて、使用するコンポーネントキャリアの数を干渉信号強度に基づいて制御してもよい。これは、高エネルギー干渉信号が存在する場合にマルチコンポーネントキャリアの使用を制限することで実現される。それゆえ、高エネルギー干渉信号に対処するための高価なハードウェアを必要とせずに、高エネルギー干渉信号が存在しない、最も一般的な状況において良好な複数キャリアサポートを実現する。
【００４０】
移動体端末は単純な通信機器から、音楽や映画のアプリケーション、地図、辞書およびゲームといった様々な異なるアプリケーションを提供する、すべての機能を持った持ち運び可能なコンピュータシステムへと形を変えた。この進化は、移動体端末における処理性能に対する要求を増やした。マルチコンポーネントキャリアのサポートは、移動体端末の全体的な処理負荷をさらに増加させた。複雑なアプリケーションはそれゆえ、マルチコンポーネントキャリアが用いられている際にはゆっくりと処理され、ユーザ体験を低下させる。本発明の実施形態を用いることで、使用するコンポーネントキャリアの数を、移動体端末における処理負荷との関連で制御してもよい。これは複雑なアプリケーションを処理している際に、より少ないコンポーネントキャリアを用いることで達成される。これによって、複雑なアプリケーションの高速処理を確保して、ユーザ体験を向上させる。
【００４１】
図７は、本発明の原理を用いた無線通信ネットワークにおける、移動体端末と基地局との間でのデータ送信をスケジューリングするように構成された移動体端末７０１の機能ブロック図である。移動体端末は、ＲＦ信号を使用して基地局と通信するためのアンテナ７０２を含む。アンテナからのＲＦ信号はＲＦブロック７０３にて受信され、移動体端末７０１が基地局から使用可能なコンポーネントキャリアを指示する情報を受信するＤＥＴブロック７０４へと送られる。移動体端末はブロック７０６にて移動体端末は、連続または不連続な帯域幅を形成するコンポーネントキャリアを処理する現在の移動体端末の能力を示す、少なくとも一つの動的パラメータを検出する。７０６にて検出された少なくとも一つの動的パラメータは、７０４にて検出された使用可能なコンポーネントキャリアとともに制御ブロック７０５へ送信される。制御ブロック７０５において移動体端末７０１は、基地局との間でデータを送受信するために使用する、使用可能なコンポーネントキャリアのサブセットを決定し、基地局にこのサブセットを通知する。サブセットは厳密にサブセットである必要はなく、選ばれたサブセットはマルチキャリアセルから受信したすべての使用可能なコンポーネントキャリアを含んでもよい。
【００４２】
本発明の実施形態によれば、使用するコンポーネントキャリアの数が異なる動的パラメータの組み合わせとの関連で決定されてもよい。組み合わせは以下のパラメータのどの組み合わせであってもよい。移動体端末のバッテリレベル、移動体端末の送信電力、移動体端末の処理負荷、干渉信号強度、または、移動体端末におけるアプリケーションのデータ送信要求。例として、本発明に対応する機能を有する移動体端末は、バッテリレベルと送信電力との両方の観点から使用するコンポーネントキャリアの数を制御してもよい。
【００４３】
様々な本発明の実施形態を説明・提示したが、発明はそれらに制限されるものではなく、特許請求の範囲において定義される発明の主題の範囲に含まれる他の方法で実施されてもよい。
【図１】
0005566454.tif 000002
【図２】
0005566454.tif 000003
【図３ａ】
0005566454.tif 000004
【図３ｂ】
0005566454.tif 000005
【図４】
0005566454.tif 000006
【図５ａ】
0005566454.tif 000007
【図５ｂ】
0005566454.tif 000008
【図６ａ】
0005566454.tif 000009
【図６ｂ】
0005566454.tif 000010
【図７】
0005566454.tif 000011